(57)【要約】【課題】  超広帯域で使用する周波数を生成するための構成の部品点数を最小化できる装置を提供する。【解決手段】  少なくとも２つの基準周波数からなる周波数グループを、少なくとも２つ含んで構成される超広帯域を用いて、データを送受信する通信システムにおける前記基準周波数を生成する装置であって、局部発振器６００と、この局部発振器６００から伝達された周波数を用いて、生成周波数を生成する生成周波数生成部６１８と、生成周波数を調整するための調整周波数を生成する調整周波数生成部６２０と、生成周波数および調整周波数の中から、１つの生成周波数および１つの調整周波数を選択する選択部（６１０，６１４）と、選択された1つの生成周波数および1つの調整周波数を用いて基準周波数を生成するミキサー６１６とから構成される基準周波数生成装置を提供する。【選択図】      図６
2005198304.tif 000002
【特許請求の範囲】
【請求項１】
少なくとも２つの基準周波数からなる周波数グループを、少なくとも２つ含んで構成される超広帯域を用いて、データを送受信する通信システムにおける前記基準周波数を生成する方法であって、
局部発振器から伝達された周波数を用いて、生成周波数および前記生成周波数を調整するための調整周波数を生成するステップと、
前記生成周波数および前記調整周波数の中から、１つの生成周波数および１つの調整周波数を選択するステップと、
この選択された１つの生成周波数および１つの調整周波数を用いて、前記基準周波数を生成するステップとからなること、
を特徴とする基準周波数生成方法。
【請求項２】
前記生成する前記基準周波数は、３４３２ＭＨｚ、３９６０ＭＨｚ、４４８８ＭＨｚ、６３３６ＭＨｚ、６８６４ＭＨｚ、７３９２ＭＨｚおよび７９２０ＭＨｚであること、
を特徴とする請求項１に記載の基準周波数生成方法。
【請求項３】
前記局部発振器から伝達される周波数は、３９６０ＭＨｚであること、
を特徴とする請求項１に記載の基準周波数生成方法。
【請求項４】
前記生成周波数は、３９６０ＭＨｚおよび７１２８ＭＨｚであること、
を特徴とする請求項１に記載の基準周波数生成方法。
【請求項５】
前記生成周波数は、
前記局部発振器から伝達された周波数である３９６０ＭＨｚと、
前記局部発振器から伝達された周波数を５で除算した７９２ＭＨｚの周波数を生成し、この７９２ＭＨｚの周波数に９を乗算して生成した周波数である７１２８ＭＨｚとであること、
を特徴とする請求項４に記載の基準周波数生成方法。
【請求項６】
前記７１２８ＭＨｚの生成周波数を調整するための前記調整周波数は、２６４ＭＨｚおよび７９２ＭＨｚであり、
前記３９６０ＭＨｚの生成周波数を調整するための前記調整周波数は、５２８ＭＨｚであること、
を特徴とする請求項４に記載の基準周波数生成方法。
【請求項７】
前記調整周波数は、
前記局部発振器から伝達された周波数である３９６０ＭＨｚを５で除算して生成した７９２ＭＨｚの周波数と、
この生成した７９２ＭＨｚを３で除算して生成した２６４ＭＨｚの周波数と、
この生成した２６４ＭＨｚに２を乗算して生成した５２８ＭＨｚの周波数とであること、
を特徴とする請求項６に記載の基準周波数生成方法。
【請求項８】
少なくとも２つの基準周波数からなる周波数グループを、少なくとも２つ含んで構成される超広帯域を用いて、データを送受信する通信システムにおける前記基準周波数を生成する装置であって、
局部発振器と、
前記局部発振器から伝達された周波数を用いて、生成周波数を生成する生成周波数生成部と、
前記生成周波数を調整するための調整周波数を生成する調整周波数生成部と、
前記生成周波数および前記調整周波数の中から、１つの生成周波数および１つの調整周波数を選択する選択部と、
選択された1つの生成周波数および1つの調整周波数を用いて、前記基準周波数を生成するミキサーとから構成されること、
を特徴とする基準周波数生成装置。
【請求項９】
前記ミキサーにおいて生成する基準周波数は、３４３２ＭＨｚ、３９６０ＭＨｚ、４４８８ＭＨｚ、６３３６ＭＨｚ、６８６４ＭＨｚ、７３９２ＭＨｚおよび７９２０ＭＨｚであること、
を特徴とする請求項８に記載の基準周波数生成装置。
【請求項１０】
前記局部発振器から伝達される周波数は、３９６０ＭＨｚであること、
を特徴とする請求項８に記載の基準周波数生成装置。
【請求項１１】
前記周波数生成部は、３９６０ＭＨｚおよび７１２８ＭＨｚの周波数を生成すること、
を特徴とする請求項１０に記載の基準周波数生成装置。
【請求項１２】
前記調整周波数生成部は、前記周波数生成部が生成した３９６０ＭＨｚの周波数を調整するために、５２８ＭＨｚの調整周波数を生成すること、
を特徴とする請求項１１に記載の基準周波数生成装置。
【請求項１３】
前記調整周波数生成部は、前記周波数生成部が生成した７１２８ＭＨｚの周波数を調整するために、２６４ＭＨｚおよび７９２ＭＨｚの調整周波数を生成すること、
を特徴とする請求項１２に記載の基準周波数生成装置。
【発明の詳細な説明】
【技術分野】
【０００１】
本発明は、移動通信システムの周波数帯域（Band）に関し、特に、マルチバンドを使用してデータを送受信する方法およびその装置に関する。
【背景技術】
【０００２】
一般に、移動通信システムは、データを送信するために所定の周波数帯域を用いる。このような移動通信システムで使用されるデータは、サーキットデータ（Circuit Data）と、パケットデータ（Packet Data）とに区分される。サーキットデータは、音声信号のようにリアルタイムでの送受信を必要とするデータである。一方、パケットデータは、パケット情報のように一定サイズ以上のデータ量を有し、リアルタイム送信が必ずしも要されないデータである。サーキットデータを送信するために使用される周波数帯域は、一般的に狭小である一方、パケットデータを送信するためにはより広い周波数帯域が必要とされる。
【０００３】
また、送信しようとするデータ量の増加と共に、使用する周波数帯域もやはり増加する。以下、広い周波数帯域のことを、超広帯域（Ultra Wide Band：ＵＷＢ）と称する。さらに、ＵＷＢを、一定サイズを有する複数サブ（Sub）周波数帯域に区分する。移動通信システムは、特定の時間の間で、複数のサブ周波数帯域を用いてデータを送信することにより、大量のデータを送信できる。このとき、移動通信システムは、特定の時間の間で、複数のサブ周波数帯域の中から１つを選択し、この選択されたサブ周波数帯域を用いてデータを送信することにより、データに対するセキュリティを高めることができる。即ち、複数のサブ周波数帯域を順次使うことでデータに対するセキュリティが高められる。
【０００４】
図１は、現在提案されているＵＷＢの構造を示す図である。図１に示すように、ＵＷＢは、３４３２ＭＨｚないし１００３２ＭＨｚの周波数帯域を使用する。ＵＷＢの周波数帯域は大きく４つの周波数グループから構成される。これらの４つの周波数グループを、ＡグループないしＤグループとすると、Ａグループは３つのサブ周波数帯域から構成されており、Ｂグループは２つのサブ周波数帯域から構成されている。ＣグループとＤグループとは、それぞれ４つのサブ周波数帯域から構成されている。
【０００５】
Ａグループの３つのサブ周波数帯域の基準周波数（Reference Frequency）は、３４３２ＭＨｚ、３９６０ＭＨｚ、４４８８ＭＨｚであり、Ｂグループの２つのサブ周波数帯域の基準周波数は、５０１６ＭＨｚ、５８０８ＭＨｚである。また、Ｃグループの４つの基準周波数は、６３３６ＭＨｚ、６８６４ＭＨｚ、７３９２ＭＨｚ、７９２０ＭＨｚであり、Ｄグループの基準周波数は、８４４８ＭＨｚ、８９７６ＭＨｚ、９５０４ＭＨｚ、１００３２ＭＨｚである。
【０００６】
しかしながら、Ｂグループに含まれるサブ周波数帯域は、現在使用されている無線ＬＡＮ（Wireless Local Area Network）で用いられる周波数帯域と重なっており、Ｄグループに含まれるサブ周波数帯域は、現在の技術レベルで使用することは不可能である。従って、現時点では、Ａグループのサブ周波数帯域とＣグループのサブ周波数帯域とを使用する方案が議論されている。
【０００７】
このため、Ａグループの３つのサブ周波数帯域と、Ｃグループの４つのサブ周波数帯域とを利用するために、７つの基準周波数を生成する必要がある。即ち、Ａグループの３つのサブ周波数帯域と、Ｃグループの４つのサブ周波数帯域とを用いるためには、７つの基準周波数を生成できる構成が必要とされる。
【０００８】
移動通信システムは、データを送信するために中間周波数（Intermediate Frequency：ＩＦ）と局部発振器（Local Oscillator：ＬＯ）の基準周波数を用いて無線周波数（Radio Frequency：ＲＦ）を生成し、この生成した無線周波数を用いてデータを送信する。前記した７つの基準周波数は、局部発振器で生成される。
以下、前記した７つの基準周波数を生成するための局部発振器について詳細に説明する。
【０００９】
図２は、前記した７つの基準周波数を生成するための構成を示したブロック図である。図２に示すように、７つの基準周波数を生成するためには、７つの局部発振器が必要とされる。即ち、１つの局部発振器は、１つの基準周波数のみを生成する。位相固定ループ（Phase Locked Loop：ＰＬＬ）は、局部発振器で生成された基準周波数を安定させる動作を行なう。従って、局部発振器ごとに対応するＰＬＬが構成されている。以下、図２を用いて７つの基準周波数を生成する工程について説明する。
【００１０】
参照符号２００で示した局部発振器（以下、局部発振器２００と称す）は、基準周波数３４３２ＭＨｚを生成し、参照符号２０１で示した局部発振器（以下、局部発振器２０１と称す）は、基準周波数３９６０ＭＨｚを生成する。参照符号２０６で示した局部発振器（以下、局部発振器２０６と称す）は、基準周波数７９２０を生成する。参照符号２１０で示したＰＬＬは、局部発振器２００が生成した基準周波数を安定させた後、選択部２２０に伝達する。参照符号２１１で示したＰＬＬは、局部発振器２０１が生成した基準周波数を安定させた後、選択部２２０に伝達する。参照符号２１６で示したＰＬＬは、局部発振器２０６が生成した基準周波数を安定させた後、選択部２２０に伝達する。この選択部２２０は、制御信号に応じて、安定化工程が行なわれて伝達された基準周波数の中から１つを選択し、この選択した基準周波数を出力する。選択部２２０から出力された基準周波数は、ＩＦ信号と結合されて、ＲＦ信号に変換される。
【００１１】
図２に示したように、７つの基準信号を生成するためには、７つの局部発振器に対応する７つのＰＬＬが必要である。これらの局部発振器とＰＬＬとは、電力消耗が高いという短所を有している。さらに、局部発振器とＰＬＬは移動通信システムの体積を増加させるという問題点を抱えている。
【発明の開示】
【発明が解決しようとする課題】
【００１２】
本発明は前記した問題点を解決するために案出されたもので、その目的は、超広帯域で使用される周波数を生成するための構成の点数を最小化した装置およびその方法を提供することにある。
【００１３】
本発明の他の課題は、超広帯域で使用される周波数を生成するための構成で使用される消費電力を最小化する装置およびその方法を提供することにある。
本発明の更なる課題は、生成される周波数に応じて動作する構成を設定するための装置およびその方法を提供することにある。
【課題を解決するための手段】
【００１４】
前記の技術的課題を達成するために、本発明は、少なくとも２つの基準周波数からなる周波数グループを、少なくとも２つ含んで構成される超広帯域を用いて、データを送受信する通信システムにおける前記基準周波数を生成する方法であって、局部発振器から伝達された周波数を用いて、生成周波数および前記生成周波数を調整するための調整周波数を生成するステップと、前記生成周波数および前記調整周波数の中から、１つの生成周波数および１つの調整周波数を選択するステップと、この選択された１つの生成周波数および１つの調整周波数を用いて、前記基準周波数を生成するステップとからなる基準周波数生成方法を提供する。
【００１５】
また、前記の技術的課題を達成するために、本発明は、少なくとも２つの基準周波数からなる周波数グループを、少なくとも２つ含んで構成される超広帯域を用いて、データを送受信する通信システムにおける前記基準周波数を生成する装置であって、局部発振器と、前記局部発振器から伝達された周波数を用いて、生成周波数を生成する生成周波数生成部と、前記生成周波数を調整するための調整周波数を生成する調整周波数生成部と、前記生成周波数および前記調整周波数の中から、１つの生成周波数および１つの調整周波数を選択する選択部と、選択された1つの生成周波数および1つの調整周波数を用いて、前記基準周波数を生成するミキサーとから構成される基準周波数生成装置を提供する。
【発明の効果】
【００１６】
本発明によると、超広帯域周波数において使用する複数の基準周波数を生成するための構成の点数を著しく減少させることができる。構成点数が減少されることにより、移動通信システムの電力消費を抑制できるとともに、移動通信システムの体積を減少させることができる。
【発明を実施するための最良の形態】
【００１７】
以下、添付の図面を参照して本発明の好適な実施の形態を詳しく説明する。
【００１８】
図３は、本発明の第１実施形態例にかかる、複数の基準周波数を生成するための構成を示したブロック図の例である。図３に示した構成において、複数の基準周波数を生成するために、１つの局部発振器３１０と、１つのＰＬＬ３１２とが使用される。以下、図３を用いて、本実施形態例にかかる基準周波数を生成する工程について説明する。以下の説明において、局部発振器３１０で生成されるＬＯ信号の周波数を生成周波数と称する。局部発振器３１０は、従来技術で説明したように、生成周波数を有するＬＯ信号を生成する。この局部発振器３１０で生成される生成周波数については後記する。局部発振器３１０で生成されたＬＯ信号は、ＰＬＬ３１２において周波数安定化の工程を経て、演算部３０４へと伝達される。
【００１９】
選択部３００には、調整周波数を有する複数のＩＦ信号が伝達される。選択部３００に伝達されるＩＦ信号の個数は、ユーザの設定によって適宜変更可能である。ユーザがｎ個の基準周波数を必要とする場合には、選択部３００に伝達される調整周波数の個数は最大ｎ個となる。また、ＰＬＬ３１２から伝達される生成周波数の個数に応じて、調整周波数の個数も変化する。即ち、生成周波数の個数が増加すると、選択部３００に伝達される調整周波数の個数を減少させることができる。つまり、ユーザが基準周波数の増加を必要とする場合には、調整周波数の数を増加させるか、生成周波数の数を増加させればよい。
【００２０】
図３では、ｎ個の調整周波数を、選択部３００に伝達した場合について示している。ｎ個の調整周波数は、ｆ1ないしｆnで示される。選択部３００は、制御信号によって、伝達された調整周波数の中から１つを選択する。選択部３００は、この選択した調整周波数を、演算部３０４へ伝達する。演算部３０４は、伝達された生成周波数と調整周波数とを用いて、ユーザが希望する基準周波数を生成する。即ち、ユーザが希望する基準周波数に応じて、選択部３００に伝達される制御信号を変化させる。
【００２１】
次に、図４を用いて、生成周波数および調整周波数について詳しく説明する。図４において、使用されるサブ周波数帯域および基準周波数は、図１に示したサブ周波数帯域および基準周波数と同一であると仮定する。次に示す表１は、図４に示した各周波数グループのサブ周波数帯域とそれに属する基準周波数とを示している。
【表１】
2005198304.tif 000003
【００２２】
ここで、前記の従来技術と同様に、Ａグループの基準周波数とＣグループの基準周波数とを生成する場合を仮定する。Ａグループの基準周波数とＣグループの基準周波数とを生成するためには、７個の基準周波数を生成しなければならない。ここで、Ａグループで使用する１つの生成周波数を生成し、Ｃグループで使用する１つの生成周波数を生成する場合について説明する。この場合、２つの生成周波数を生成するためには２つの局部発振器とＰＬＬとが必要とされるため、図３に示した構成では、２つの生成周波数を生成するためには２つの局部発振器とＰＬＬが必要とされる。
【００２３】
そこで、次に示す本発明の第２実施形態例の構成により、１つの局部発振器と１つのＰＬＬを用いて２つの生成周波数を生成することが可能となる。
ここで、図５は、１つの局部発振器および１つのＰＬＬを用いて、２つの生成周波数を生成し、この生成した生成周波数と調整周波数とを用いて、複数の基準周波数を生成する構成を有する本発明の第２実施形態例を示すブロック図の例である。図５を参照しつつ、本実施形態例にかかる参照符号５００で示した１つの局部発振器５００および１つのＰＬＬ５０２を用いて複数の基準周波数を生成する工程について詳しく説明する。
【００２４】
局部発振器５００は、６３３６ＭＨｚの周波数を生成する。この生成された周波数は、ＰＬＬ５０２において周波数安定化の工程が行われる。ＰＬＬ５０２から出力された周波数は、参照符号５０８および参照符号５２２で示したミキサー（以下、それぞれミキサー５０８およびミキサー５２２と称す）と、参照符号５０４で示した除算器（以下、除算器５０４と称す）に伝達される。
【００２５】
除算器５０４は、伝達された周波数に除算演算を行なう。除算器５０４は、伝達された周波数を３で除算する。この除算演算により、除算器５０４は、２１１２ＭＨｚの周波数を生成する。この生成された２１１２ＭＨｚは、参照符号５０６で示した除算器（以下、除算器５０６と称す）と、ミキサー５０８とに伝達される。除算器５０６は、伝達された２１１２ＭＨｚの周波数に除算演算を行なう。この除算演算では、伝達された周波数を２で除算する。この除算演算を行なうことで、除算器５０６は、１０５６ＭＨｚの周波数を生成する。
【００２６】
ミキサー５０８は、ＰＬＬ５０２から伝達された６３３６ＭＨｚと、除算器５０４から伝達された２１１２ＭＨｚとをミキシングする。そして、ミキサー５０８は、６３３６ＭＨｚと２１１２ＭＨｚとの差を出力する。このミキサー５０８から出力される信号の周波数は４２２４ＭＨｚである。
このＰＬＬ５０２から出力される６３３６ＭＨｚの周波数と、ミキサー５０８から出力される４２２４ＭＨｚの周波数とが生成周波数となる。
【００２７】
次に、調整周波数を生成する工程について説明する。
除算器５０６から出力された周波数は、参照符号５１４で示した選択部（以下、選択部５１４と称す）と参照符号５１０で示したミキサー（以下、ミキサー５１０と称す）、そして、参照符号５１２で示した除算器（以下、除算器５１２と称す）に伝達される。除算器５１２は、伝達された１０５６ＭＨｚの周波数に除算演算を行なう。この除算演算では、伝達された周波数を２で除算する。この除算演算を行なうことで５２８ＭＨｚの周波数を生成する。除算器５１２は生成した５１２ＭＨｚの周波数を、ミキサー５１０と、参照符号５１６で示した除算器（以下、除算器５１６と称す）と、参照符号５１８で示したミキサー（以下、ミキサー５１８と称す）と、選択部５１４とに伝達する。
【００２８】
ミキサー５１０は、除算器５０６から伝達された１０５６ＭＨｚの周波数と、除算器５１２から伝達された５２８ＭＨｚの周波数とをミキシングする。このミキシング工程を行なうことにより、ミキサー５１０は１５８４ＭＨｚの周波数を生成し、この生成された１５８４ＭＨｚの周波数を選択部５１４に伝達する。選択部５１４へ伝達される周波数は、Ｃグループに含まれる調整周波数となる。
選択部５１４は、制御信号に応じて伝達された調整周波数の中から１つを選択し（あるいは選択しない場合もある）、この選択された調整周波数をミキサー５２２に伝達する。ミキサー５２２は、選択部５１４から伝達された調整周波数とＰＬＬ５０２から伝達された生成周波数とをミキシングする。このミキシング工程を行なうことにより、１つの基準周波数が生成し、ミキサー５２２は、この生成した基準周波数を出力する。
【００２９】
ミキサー５２２は、選択部５１４から、なにも伝達されなければ、６３３６ＭＨｚの周波数を生成し、５２８ＭＨｚの周波数が伝達されると、６８６４ＭＨｚの周波数を生成する。また、ミキサー５２２は、選択部５１４から１０５６ＭＨｚの周波数が伝達されると、７３９２ＭＨｚの周波数を生成し、１５８４ＭＨｚの周波数が伝達されると、７９２０ＭＨｚの周波数を生成する。
【００３０】
次に、除算器５１６は、除算器５１２から伝達された５２８ＭＨｚの周波数に除算演算を行なう。この除算演算では、伝達された周波数を２で除算する。この除算演算を行なうことで、２６４ＭＨｚの周波数を生成する。除算器５１６は、生成した２６４ＭＨｚの周波数をミキサー５１８と、参照符号５２０で示した選択部（以下、選択部５２０と称す）とに伝達する。ミキサー５１８は、除算器５１２から伝達された５２８ＭＨｚの周波数と、除算器５１６から伝達された２６４ＭＨｚの周波数とをミキシングする。このミキシング工程を行なうことによってミキサー５１８は、７９２ＭＨｚの周波数を生成し、この生成した７９２ＭＨｚの周波数を選択部５２０に伝達する。
【００３１】
選択部５２０に伝達された周波数は、Ａグループに含まれる調整周波数となる。選択部５２０は、制御信号によって伝達された調整周波数の中から１つを選択し、この選択された調整周波数を参照符号５２４で示したミキサー（以下、ミキサー５２４と称す）に伝達する。ミキサー５２４は、選択部５２０から伝達された調整周波数と、ミキサー５０８から伝達された生成周波数とをミキシングする。このミキシング工程を行なうことで１つの基準周波数を生成し、ミキサー５２４は、生成した基準周波数を出力する。
ここで、ミキサー５２４は、選択部５２０から２６４ＭＨｚの周波数が伝達されると、３９６０ＭＨｚまたは４４８８ＭＨｚの周波数を生成する。また、選択部５２０から７９２ＭＨｚの周波数が伝達されると、３４３２ＭＨｚの周波数を生成する。
【００３２】
図５に示した構成を用いることで、ＡグループとＣグループとに含まれる基準周波数を生成することができる。しかしながら、図５に示したように、７つの基準周波数を生成するために、５つのミキサー（５０８，５１０，５１８，５２２，５２４）が使用されていることが分かる、従って、７つの基準周波数を生成するにあたって必要とされるミキサーの数を減らすための方案が必要である。
【００３３】
次に、図４を参照して、ミキサーの個数を減らすため、生成周波数と調整周波数との再設定について説明する。図４に示した、Ａグループの基準周波数を生成するために、１つの生成周波数と１つの調整周波数を設定する。設定された生成周波数を３９６０ＭＨｚとすると、調整周波数は、生成周波数と基準周波数との差を用いて求めることができる。Ａグループに含まれる基準周波数と生成周波数との差は、５２８ＭＨｚである。よって、Ａグループにおいて使用される調整周波数は５２８ＭＨｚである。
【００３４】
また、Ｃグループの基準周波数を生成するために、１つの生成周波数を使用する場合、２つの調整周波数が必要である。Ｃグループの生成周波数を７１２８ＭＨｚであると仮定すると、生成周波数と基準周波数との差を用いて調整周波数は、２６４ＭＨｚおよび７９２ＭＨｚになる。
次に示す表２は、図４に示したＡグループおよびＣグループに含まれる生成周波数および調整周波数を示している。
【表２】
2005198304.tif 000004
【００３５】
ここで、図６は、本発明の第３実施形態例にかかる１つの局部発振器とＰＬＬを用いて２つの生成周波数を生成し、この生成した生成周波数と調整周波数とを用いて複数の基準周波数を生成する構成のブロック図の例である。図６を参照しつつ、本実施形態例にかかる１つの局部発振器６００および１つのＰＬＬ６０２を用いて、複数の基準周波数を生成する工程について詳しく説明する。
【００３６】
局部発振器６００は、３９６０ＭＨｚの周波数を生成する。この生成した周波数は、ＰＬＬ６０２において周波数安定化の工程を実行される。ＰＬＬ６０２から出力された周波数は、参照符号６０４で示した除算器（以下、除算器６０４と称す）と、参照符号６１４で示した選択部（以下、選択部６１４と称す）へと伝達される。除算器６０４は、伝達された周波数に除算演算を行なう。除算器６０４は、伝達された周波数を５で除算する。この除算演算を行なうことで、除算器６０４は、７９２ＭＨｚの周波数を生成する。この生成された７９２ＭＨｚは、参照符号６１０で示した選択部（以下、選択部６１０と称す）と、参照符号６１２で示した乗算器（以下、乗算器６１２と称す）と、参照符号６０６で示した除算器（以下、除算器６０６と称す）とに伝達される。
【００３７】
乗算器６１２は、伝達された７９２ＭＨｚの周波数に乗算演算を行なう。この乗算演算では、伝達された周波数に９を乗算する。この乗算演算を行なうことにより、乗算器６１２は、７１２８ＭＨｚの周波数を生成する。乗算器６１２は、生成した７１２８ＭＨｚの周波数を選択部６１４に伝達する。
ＰＬＬ６０２および乗算器６１２から選択部６１４へ伝達された周波数が生成周波数となる。この生成周波数を生成するための構成を生成周波数生成部６１８とする。
【００３８】
選択部６１４は、ＰＬＬ６０２および乗算器６１２から伝達された周波数（７１２８ＭＨｚおよび３９６０ＭＨｚ）の中から、制御信号に応じて１つを選び、選択された１つをミキサー６１６に伝達する。なお、ＰＬＬ６０２から出力される３９６０ＭＨｚの周波数については、処理工程なしに基準周波数として用いることができる。
【００３９】
以下、調整周波数を生成する工程について説明する。この調整周波数を生成するための構成を調整周波数生成部６２０とする。
【００４０】
除算器６０６は、除算器６０４から伝達された周波数に除算演算を行なう。除算器６０６は、伝達された周波数を３で除算する。この除算演算を行なうことで除算器６０６は、２６４ＭＨｚの周波数を生成する。この生成した２６４ＭＨｚは、参照符号６０８で示した乗算器（以下、乗算器６０８と称す）と、選択部６１０とに伝達される。乗算器６０８は、除算器６０６から伝達された２６４ＭＨｚの周波数に乗算演算を行なう。この乗算演算では、伝達された周波数に２に乗算する。この乗算演算を行なうことで乗算器６０８は、５２８ＭＨｚの周波数を生成する。乗算器６０８は、生成した５２８ＭＨｚの周波数を選択部６１０に伝達する。選択部６１０に伝達される周波数（７９２ＭＨｚ，５２８ＭＨｚおよび２６４ＭＨｚ）は、調整周波数である。選択部６１０は、制御信号に応じて伝達された調整周波数のいずれか１つを選択し、この選択した調整周波数をミキサー６１６に伝達する。
【００４１】
ミキサー６１６は、選択部６１０から伝達された調整周波数と、選択部６１４から伝達された生成周波数とをミキシングする。このミキシング工程を行なうことにより、１つの基準周波数が生成され、ミキサー６１６は生成した基準周波数を出力する。
【００４２】
次に、Ａグループに含まれる基準周波数を生成する工程について説明する。このとき、選択部６１４は、３９６０ＭＨｚの生成周波数を選択し、選択した生成周波数をミキサー６１６に伝達する。そして、選択部６１０は、５２８ＭＨｚの調整周波数を選択し、この選択した調整周波数をミキサー６１６に伝達する。ミキサー６１６は、伝達された生成周波数と調整周波数とをミキシングする。このミキシング工程を行なうことでミキサー６１６は、３４３２ＭＨｚ，３９６０ＭＨｚまたは４４８８ＭＨｚの基準周波数を生成することができる。
【００４３】
また、Ｃグループに含まれる基準周波数を生成する工程について説明する。このとき、選択部６１４は、７１２８ＭＨｚの生成周波数を選択して、この選択した生成周波数をミキサー６１６に伝達する。選択部６１０は、２６４ＭＨｚの調整周波数を選択して、この選択された調整周波数をミキサー６１６に伝達する。ミキサー６１６は伝達された生成周波数と調整周波数とをミキシングする。このミキシング工程を行なうことで、ミキサー６１６は、６８６４ＭＨｚまたは７３９２ＭＨｚの基準周波数を生成することができる。
【００４４】
さらに、選択部６１４が、７１２８ＭＨｚの生成周波数を選択して、この選択された生成周波数をミキサー６１６に伝達し、選択部６１０が、７９２ＭＨｚの調整周波数を選択して、この選択した調整周波数を、ミキサー６１６に伝達する。これにより、ミキサー６１６は、伝達された生成周波数と調整周波数とミキシングして、このミキシング工程を行なうことにより、６３３６ＭＨｚまたは７９２０ＭＨｚの基準周波数を生成することができる。
次に示す表３には、選択された生成周波数と調整周波数とに対する基準周波数の関係が示されている。
【表３】
2005198304.tif 000005
【００４５】
図６に示した本実施形態例は、図５に示した第２実施形態例に比べてミキサーの個数が著しく減少していることが分かる。
【００４６】
なお、図５および図６に示した実施形態例は、特定周波数を生成するための各構成の動作を説明しているが、生成しようとする基準周波数が変わると、各構成で行なわれる動作は変更される。即ち、図５および図６に示した実施形態例の乗算器と除算器とで行なわれる動作は変わり得る。くわえて、乗算器と除算器とは、生成しようとする基準周波数の変更によって乗算する乗算係数と除算する除算係数が異なって設定されることができる。
【００４７】
以上、図面を参照して本発明の好適な実施形態を図示および説明してきたが本発明の範囲は前述の実施形態に限定するものではなく、特許請求の範囲に記載された発明とその均等物にまでおよぶものである。
【図面の簡単な説明】
【００４８】
【図１】超広帯域周波数バンドの構造を示した図である。
【図２】従来技術による複数の基準周波数を生成するための構成を示したブロック図である。
【図３】第１実施形態例にかかる複数の基準周波数を生成する構成を示したブロック図である。
【図４】本実施の形態における超広帯域周波数バンドの構造を示した図である。
【図５】第２実施形態例にかかる複数の基準周波数を生成する構成を示したブロック図である。
【図６】第３実施形態例にかかる複数の基準周波数を生成する構成を示したブロック図である。
【符号の説明】
【００４９】
５００，６００  局部発振器
５０２，６０２  ＰＬＬ
５０４，５０６，５１２，５１６，６０４，６０６，６０８  除算器
５０８、５１０，５１８，５２２，５２４，６１６  ミキサー
５１４，５２０，６１０，６１４  選択部
【図１】
2005198304.tif 000006
【図２】
2005198304.tif 000007
【図３】
2005198304.tif 000008
【図４】
2005198304.tif 000009
【図５】
2005198304.tif 000010
【図６】
2005198304.tif 000011